(57)【要約】【課題】書類を保管する書類ホルダーであって、例えば店舗などにおいて手渡された書類を自宅へ持ち帰るに際し、持運びに一層便利な書類ホルダーを提供する。【解決手段】書類ホルダーは、各四角形の表表紙と裏表紙の底および両側縁の三辺部を連結して上端開放型の袋構造に構成される。表表紙と裏表紙の各上縁部には、それぞれ手掛り穴を形成し且つ表表紙側と裏表紙側とで相互に重畳する手提げ部が設けられており、しかも、各手提げ部は、その基部に設けられたミシン目により表表紙および裏表紙から切除可能に構成される。【選択図】図１
2014213482.tif 000002
【特許請求の範囲】
【請求項１】
各四角形の表表紙と裏表紙の底および両側縁の三辺部を連結して上端開放型の袋構造に構成された書類ホルダーであって、表表紙と裏表紙の各上縁部には、それぞれ手掛り穴を形成し且つ表表紙側と裏表紙側とで相互に重畳する手提げ部が設けられ、かつ、各手提げ部は、その基部にミシン目が設けられていることにより、表表紙および裏表紙から切除可能に構成されていることを特徴とする書類ホルダー。
【請求項２】
表表紙と裏表紙の両側縁は、上部に向かうに従って漸次幅が広くなるマチで連結されている請求項１に記載の書類ホルダー。
【請求項３】
手掛り穴は、ミシン目よりも上方の手提げ部をくり貫いて形成された形状の上半部と、ミシン目よりも下方の表表紙および裏表紙の各上縁部をくり貫いて形成された形状の下半部とからなり、各手提げ部を切除した場合、表表紙および裏表紙は、その上縁部の一部分が下方に後退した形状を備えている請求項１又は２に記載の書類ホルダー。
【発明の詳細な説明】
【技術分野】
【０００１】
本発明は、書類ホルダーに関するものであり、詳しくは、書類を綺麗な状態で保管するための書類ホルダーであって、持運びに一層便利で且つより使用し易い書類ホルダーに関するものである。
【背景技術】
【０００２】
書類ホルダーは、紙挟み、書類入れ、ペーパーホルダー、フォルダ、ファイル、バインダー等の呼称で知られている周知の文房具であり、説明書、案内書、企画書などの各種の書類や図面（以下、適宜「書類」と言う。）を綺麗な状態で保管するために使用される。
【０００３】
上記のような書類ホルダーは、例えば、型取りされた原形シートを中央部で折り曲げて各四角形に形成した表表紙と裏表紙を備えており、斯かる表表紙や裏表紙の内側面の下端側には、書類を挟み込むためのポケットが設けられている。そして、表表紙と裏表紙を見開き状態にして書類を収容するようになされている（特許文献１）。また、多機能化された書類ホルダーとしては、ＣＤやＤＶＤ等の情報媒体を収納するための切込が上記のポケットに設けられたものも提案されている（特許文献２）。なお、これらの書類ホルダーは、製造コストを低減し且つ耐久性を高める観点から、昨今は樹脂シートにより構成されている。
【先行技術文献】
【特許文献】
【０００４】
【特許文献１】特開２０００−７１６６３号公報
【特許文献２】特開２００７−７６３５１号公報
【発明の概要】
【発明が解決しようとする課題】
【０００５】
ところで、各種の店舗などにおいて、重要な書類を顧客に手渡す場合には、書類を汚したり、紛失したりしないように、封筒などに書類を収めて渡すことがあり、その場合には、持ち帰った書類を前述のような書類ホルダーに移し替えて保管している。一方、顧客サービスとして、書類を書類ホルダーに収めて顧客に手渡すこともあるが、本来、書類ホルダーは、書類棚や机の引出しに書類を保管する際に使用されるものであり、書類ホルダーで渡された顧客は、更にこれを鞄や手提げ袋に入れて持ち帰っていると言う実情がある。
【０００６】
本発明は、上記の実情に鑑みてなされたものであり、その目的は、書類を保管する書類ホルダーであって、例えば店舗などにおいて手渡された書類を自宅へ持ち帰るに際し、持運びに一層便利で且つより使用し易い書類ホルダーを提供することにある。
【課題を解決するための手段】
【０００７】
上記の課題を解決するため、本発明においては、各四角形の表表紙と裏表紙の底および両側縁の各三辺部を連結して、上端開放型の扁平な袋構造を構成し、かつ、表表紙と裏表紙の各上縁部に手提げ部を設けることにより、書類を収容した状態で提げて保持できるようにすると共に、各手提げ部の基部にミシン目を設けることにより、書類を保管する際、表表紙および裏表紙から各手提げ部を切除し、袋構造のホルダーを構成できるようにした。
【０００８】
すなわち、本発明の要旨は、各四角形の表表紙と裏表紙の底および両側縁の三辺部を連結して上端開放型の袋構造に構成された書類ホルダーであって、表表紙と裏表紙の各上縁部には、それぞれ手掛り穴を形成し且つ表表紙側と裏表紙側とで相互に重畳する手提げ部が設けられ、かつ、各手提げ部は、その基部にミシン目が設けられていることにより、表表紙および裏表紙から切除可能に構成されていることを特徴とする書類ホルダーに存する。
【発明の効果】
【０００９】
本発明に係る書類ホルダーによれば、表表紙と裏表紙の各上縁部に手提げ部が設けられているため、書類を収容して手提げ袋のように提げて持ち運ぶことができ、また、各手提げ部の基部にミシン目が設けられているため、持ち運んだ後は各手提げ部を簡単に切除でき、そのまま通常の書類ホルダーとして使用できる。
【図面の簡単な説明】
【００１０】
【図１】本発明に係る書類ホルダーの構造を示す外観図であり、分図（Ａ）は正面図、分図（Ｂ）は側面図である。
【図２】本発明に係る書類ホルダーの組立前の原形シートを示す平面図（展開図）である。
【発明を実施するための形態】
【００１１】
本発明に係る書類ホルダーの実施形態を図面に基づいて説明する。本発明の書類ホルダーは、図１に示すように、各四角形に形成された表表紙１と裏表紙２を備えており、所定の形状に型取りされた原形シートＳ（図２参照）に折り加工および接着加工（溶着加工）を施すことにより、表表紙１と裏表紙２の底および両側縁の三辺部を連結して上端開放型の袋構造に構成される。図中の符号７１，７２，８１，８２は、後述するマチ４を拡げたり畳んだりする際に可動する折り線（折曲げ部分）を示している。また、図１（Ｂ）中の符号９は、収容した書類を示している。
【００１２】
本発明の書類ホルダーは、紙で製作することもできるが、通常は樹脂で製作される。図２に示す原形シートＳを構成する樹脂としては、成形性、コスト、環境への影響を考慮し、ポリプロピレン、ポリエチレン等のポリオレフィンが使用され、特に、適度な剛性と柔軟性を得る観点から、ポリプロピレンが好適に使用される。斯かる樹脂は、透明性の樹脂でもよいし、着色された樹脂でもよい。原形シートＳの厚さは、剛性、耐久性、コスト等を勘案して設定され、通常は０．２〜０．５ｍｍ、好ましくは０．２５ｍｍ程度とされる。
【００１３】
図２に示すように、原形シートＳは、打抜き加工された１枚のシートであり、原形シートＳの中央部（底に相当する部分）に設けられた折り線７１で折り加工を施すことにより、同一平面寸法の略長方形の表表紙１と裏表紙２を構成するように形成される。表表紙１及び裏表紙２の各大きさは、例えば、Ａ４判の書類９を収納する場合、縦が３４０〜３８０ｍｍ、横が２３０〜２６０ｍｍに設定される。
【００１４】
また、原形シートＳにおいて、表表紙１又は裏表紙２に相当する部分（図２に例示した原形シートＳでは表表紙１に相当する部分）の左右両側縁には、マチ４（図１参照）を構成するための張り出し片が設けられる。すなわち、図１（Ｂ）に示すように、本発明の書類ホルダーは、表表紙１と裏表紙２の両側縁がマチ４で連結されており、しかも、図１（Ａ），（Ｂ）に示すように、マチ４は、上部に向かうに従って漸次幅が広くなる形状を備えている。マチ４の拡げた状態での最大幅、換言すれば、図２に示す状態に展開した場合のマチ４の上端部の幅は、８〜１２ｍｍ程度に設定される。
【００１５】
本発明の書類ホルダーは、上記のように上端側だけが拡がるマチ４が設けられていることにより、図１（Ｂ）に示すように、表表紙１と裏表紙２の上端部が放射状に開くため、書類９を入れ易く、また、書類９を収容した状態でも下端が薄いため、机の引出しや書類棚に保管する際に既に並んでいる他の書類や他の書類ホルダーの間に差し込み易いと言う効果を奏せられる。
【００１６】
また、本発明の書類ホルダーは、書類９を収容した状態で手提げ袋のように提げて持ち運べるように、図１に示すように、表表紙１と裏表紙２の各上縁部には、それぞれ手掛り穴５を形成し且つ表表紙１側と裏表紙２側とで相互に重畳する手提げ部１３，２３が設けられる。図１（Ａ）及び図２に示すように、手提げ部１３は、表表紙１の上縁部に設けられた張り出し片であり、弓状に切り掛かれた形状のくり貫き部１２を有している。また、手提げ部２３も、裏表紙２の上縁部に設けられた張り出し片であり、弓状に切り掛かれた形状のくり貫き部２２を有している。
【００１７】
一方、図１（Ａ）及び図２に示すように、表表紙１の上端側の中央部には、略円弧状に切り掛かれた形状のくり貫き部１１が形成されており、また、裏表紙２上端側の中央部には、同様に、略円弧状に切り掛かれた形状のくり貫き部２１が形成されている。すなわち、表表紙１側の手掛り穴５は、表表紙１の本体部分のくり貫き部１１と手提げ部１３のくり貫き部１２とで構成され、裏表紙２側の手掛り穴５は、裏表紙２の本体部分のくり貫き部２１と手提げ部２３のくり貫き部２２とで構成される。
【００１８】
更に、本発明においては、通常の書類ホルダーとして引出しや書類棚に収納するため、各手提げ部１３，２３は、各々、その基部にミシン目１ｃ，２ｃが設けられていることにより、表表紙１及び裏表紙２から切除可能に構成される。換言すれば、本発明の書類ホルダーにおいては、ミシン目１ｃにより表表紙１から手提げ部１３を切り取ることができ、ミシン目２ｃにより裏表紙２から手提げ部２３を切り取ることができる。これにより、本発明の書類ホルダーは、手提げ部１３，２３を切除して通常のホルダーとして使用することができる。
【００１９】
また、上記のように、表表紙１において、手掛り穴５は、ミシン目１ｃよりも上方の手提げ部１３をくり貫いて形成された形状のくり貫き部１２（上半部）と、ミシン目１ｃよりも下方の表表紙１の上縁部をくり貫いて形成された形状のくり貫き部１１（下半部）とからなる。同様に、裏表紙２において、手掛り穴５は、ミシン目２ｃよりも上方の手提げ部２３をくり貫いて形成された形状のくり貫き部２２（上半部）と、ミシン目２ｃよりも下方の裏表紙２の上縁部をくり貫いて形成された形状のくり貫き部２１（下半部）とからなる。すなわち、各手提げ部１３，１４を切除した場合、表表紙１及び裏表紙２は、各々、その上縁部の一部分が下方に後退した形状（凹没した形状）を備えている。これにより、本発明の書類ホルダーは、通常のホルダーとして使用した場合、収容した書類９の上端がホルダー上端縁に露出するため、簡単に取り出すことができる（図１（Ａ）参照）。
【００２０】
なお、本発明の書類ホルダーにおいては、取り扱う際の安全性の観点から、図１（Ａ）に示すように、手提げ部１３，１４の上端側の左右両側の角部Ｒ２は、半径が２０〜４０ｍｍ程度の曲線部に形成され、また、表表紙１及び裏表紙２の下端側の左右両側の角部Ｒ１は、半径が８〜１２ｍｍ程度の曲線部に形成される。曲線状の角部Ｒ１は、図２に示すように、原形シートＳにおいて折り線７１の両端部に略扇型の切込み部Ｑを設けることにより形成される。また、図１（Ａ）及び図２に示すように、表表紙１のミシン目１ｃの両端部、および、裏表紙２のミシン目２ｃの両端部には、これらミシン目１ｃ，２ｃの切り裂き始点として機能する切込み部Ｐが設けられる。
【００２１】
本発明の書類ホルダーは、原材料の樹脂シートに打抜き加工およびミシン目加工を施して図２に示すような１枚の原形シートＳを作成した後、当該原形シートに折り加工および接着加工を施すことにより製造される。原形シートＳの打抜き加工は、周知の通り、ビクトリア打抜機、平盤打抜機、ロータリダイカッタ等の打抜機を使用して行われる。また、ミシン目１ｃ，２ｃを形成する加工は、通常はレーザー加工により行われる。そして、折り加工および接着加工においては、上記の原形シートＳを中央の折り線７１で２つ折りにして表表紙１と裏表紙２を重ね合わせた後、表表紙１の両側のマチ４の部分を折り線７２で折り返し、これを裏表紙２の表面に重ね合わせ、超音波溶着機で裏表紙２側に溶着代６を溶着する。なお、マチ４が拡がるように、原形シートＳには、折り線８１，８２として折返し用の溝を付設しておく。
【００２２】
本発明の書類ホルダーは、例えば、店舗などにおいて手渡された書類９を収容して手提げ袋のように提げて自宅まで持ち運ぶことができる。すなわち、書類９を収容する場合には、手提げ部１３，１４を引き離すようにして当該書類ホルダーの上端部を開き、書類９を表表紙１と裏表紙２の間に挿入する。そして、手掛り穴５に手先を掛け、手提げ袋のように書類９を提げて持ち運ぶことができる。一方、書類９を自宅へ持ち帰った場合には、表表紙１のミシン目１ｃを利用して手提げ部１３を切除すると共に、裏表紙２のミシン目２ｃを利用して手提げ部２３を切除することにより、書類ホルダーとして使用することができる。
【００２３】
換言すれば、本発明に係る書類ホルダーによれば、表表紙１と裏表紙２の各上縁部に手提げ部１３，１４が設けられているため、書類９を収容して手提げ袋のように提げて持ち運ぶことができ、持運びに一層便利である。また、各手提げ部１３，１４の基部にミシン目１ｃ，２ｃが設けられているため、持ち運んだ後は各手提げ部１３，１４を簡単に切除でき、そのまま通常の書類ホルダーとして使用できる。
【００２４】
しかも、本発明のホルダーは、上部に向かうに従って漸次幅が広くなるマチ４で表表紙１と裏表紙２の両側縁が連結されているため、書類９の出し入れが容易であり、かつ、書類棚などに並んでいる書類や他の書類ホルダーの間に簡単に差し込むことができる。更に、各手提げ部１３，２３を切除した場合、表表紙１及び裏表紙２の上縁部の一部分が下方に後退した形状を備えているため、収容された書類９を容易に取り出すことができる。
【符号の説明】
【００２５】
１  ：表表紙
１３：手提げ部
１ｃ：ミシン目
２  ：裏表紙
２３：手提げ部
２ｃ：ミシン目
４  ：マチ
５  ：手掛り穴
６  ：溶着代
７１：折り線（折曲げ部分）
７２：折り線（折曲げ部分）
８１：折り線（折曲げ部分）
８２：折り線（折曲げ部分）
９  ：書類
Ｓ  ：原形シート
【図１】
2014213482.tif 000003
【図２】
2014213482.tif 000004